(57)【要約】      （修正有）【課題】ドアと本体の開口の上縁との隙間における水滴が、ドアに設けられた案内樋よりも本体側に飛ぶことを防止する自動販売機及び防水ガスケットを提供すること。【解決手段】開口を有する本体と、開口を開放又は閉塞するドアと、開口の上縁の長手方向に装着され、ドア及び上縁の隙間を封止する防水ガスケット６００と、ドアの開口と対向する裏面側の鉛直方向上部に設けられ、防水ガスケット６００から落下する水滴を本体及びドアの外部に案内するための案内樋と、を有する自動販売機１０において、防水ガスケット６００は、上縁を把持する把持部６４０と、把持部６４０から開口を閉塞したときのドアの裏面側へ延在する、中空で且つ弾性力を有する第１ガスケット部６２０と、把持部６４０の鉛直方向下部から開口を閉塞したときのドアの裏面側へ延在する、片形状を有する第２ガスケット部６３０と、を上縁の長手方向の長さだけ一体成形してなる。【選択図】      図４
2006293525.tif 000002
【特許請求の範囲】
【請求項１】
商品を収容するための開口を有する本体と、
前記開口を開放又は閉塞するドアと、
前記開口の鉛直方向上部に設けられる上縁の長手方向に装着されることにより、前記ドアが前記開口を閉塞する場合に、前記ドア及び前記上縁の隙間を封止する防水ガスケットと、
前記ドアの前記開口と対向する裏面側の鉛直方向上部に設けられ、前記防水ガスケットから落下する水滴を前記本体及び前記ドアの外部に案内するための案内樋と、を有する自動販売機において、
前記防水ガスケットは、
前記上縁を把持する把持部と、
前記把持部から前記開口を閉塞したときの前記ドアの裏面側へ延在する、中空で且つ弾性力を有する第１ガスケット部と、
前記把持部の鉛直方向下部から前記開口を閉塞したときの前記ドアの裏面側へ延在する、片形状を有する第２ガスケット部と、を前記上縁の長手方向の長さだけ一体成形してなる、ことを特徴とする自動販売機。
【請求項２】
前記把持部は、当該把持部の鉛直方向上部が前記ドアの鉛直方向上面より高くなるように前記上縁を把持し、
前記防水ガスケットは、
前記把持部の鉛直方向上部から前記開口を閉塞したときの前記ドアの表面の方向へ延在する庇部と、
前記庇部から前記開口を閉塞したときの前記ドアの上面側へ延在する、片形状を有する第３ガスケット部と、
を前記上縁の長手方向の長さだけ更に一体成形してなる、ことを特徴とする請求項１に記載の自動販売機。
【請求項３】
前記把持部及び前記庇部は硬質材からなり、
前記第１ガスケット部、前記第２ガスケット部、及び前記第３ガスケット部は軟質材からなる、ことを特徴とする請求項２に記載の自動販売機。
【請求項４】
前記第１ガスケット部は、前記上縁の長手方向に延在することにより前記中空を複数分割する弾性壁を、更に有することを特徴とする請求項３に記載の自動販売機。
【請求項５】
前記商品は、煙草商品であることを特徴とする請求項１乃至４の何れかに記載の自動販売機。
【請求項６】
商品を収容するための開口を有する本体と、前記開口を開放又は閉塞するドアと、を有する自動販売機に対して、前記開口の鉛直方向上部に設けられる上縁の長手方向に装着されることにより、前記ドアが前記開口を閉塞する場合に、前記ドア及び前記上縁の隙間を封止する防水ガスケットにおいて、
前記上縁を把持する把持部と、
前記把持部から前記開口を閉塞したときの前記ドアの裏面側へ延在する、中空で且つ弾性力を有する第１ガスケット部と、
前記把持部の鉛直方向下部から前記開口を閉塞したときの前記ドアの裏面側へ延在する、片形状を有する第２ガスケット部と、を前記上縁の長手方向の長さだけ一体成形してなることを特徴とする防水ガスケット。
【発明の詳細な説明】
【技術分野】
【０００１】
本発明は、本体に対してドアを開閉して商品を収容する自動販売機と、この本体及びドアの間に設けられる防水ガスケットとに関する。
【背景技術】
【０００２】
自動販売機はその本体に収容された商品を販売する装置であり、この商品は例えば本体の正面にある開口面（開口）から予め充填される。例えば、開口面はヒンジを介して本体に設けられたドアにより開放及び閉塞可能となっており、ルートマンが商品を充填する際には開口面からドアが開けられる一方、開口面がドアで閉じられた状態で商品の販売が行われる。この種の自動販売機は屋外に設置されることがあるため、販売時における開口面及びドアの隙間から雨水等が本体に侵入することを防止して、商品の水濡れを防ぐことが重要となる。
【０００３】
特に雨水に対する自動販売機の防水性を高めるために、図９（ａ）に例示されるように、本体の開口面の上縁部（上縁）には防水ガスケット７００が設けられている（例えば、特許文献１参照。）。同図は、自動販売機における閉じられていない開口面の上縁部の長手方向に装着された防水ガスケット７００の構成例を示す当該長手方向と直交する方向の断面図である。同図によれば、本体の天井板は開口面にて下方にＬ字形状をもって張り出す上縁部をなしており、防水ガスケット７００は、この上縁部に下方から引っ掛かりこれを挟み込むようにして把持する把持部７４０、７５０を有している。また、防水ガスケット７００は、この把持部７４０の上部からドア側に突出して、本体とドアの上面との間にコの字形状をなして延在可能な庇部７１０と、庇部７１０の下部にあって把持部７４０からドア側に突出する中空で弾性力を有する弾性部７２０と、を更に有している。これら把持部７４０、７５０、庇部７１０、及び弾性部７２０は、本体の開口面の上縁部の長手方向の長さを有する例えば樹脂製の一体成形品である。
【０００４】
図９（ｂ）に例示されるように、本体の開口面が閉じられると、弾性部７２０は、ドアの裏面と本体の開口面の上縁部との間で押圧されて弾性的に撓みながらこのドアの裏面に当接し、これによりドア及び上縁部の隙間を封止するようになっている。同図は、開口面の上縁部とドアとの間における防水ガスケット７００の状態を示す長手方向と直交する方向の断面図である。同図によれば、ドアの裏面には、防水ガスケットから落下する水滴を受けてこれを本体及びドアの外部に案内するための案内樋が設けられている。尚、案内樋から更に本体側には、例えば、顧客が商品を選択するための商品選択釦や商品パネル用の蛍光灯等の電気設備が備えられている。また、この電気設備から更に本体側には、ドア又は本体に対して、例えば、商品を収納する商品収納コラムや、この商品収納コラムから払い出された商品をドアの下部に設けられた商品取出口まで搬出するシュータ等が設けられている。
【０００５】
図９（ｂ）に例示されるように、自動販売機に対して上方から降りつける雨水は、先ず庇部７１０とドアの上面との隙間Ａにおいて、これより内部への侵入が防止される。この隙間Ａで防止しきれなかったとしても、雨水が隙間Ａから内部へ侵入する勢いは当該隙間Ａで小さくなっている。次に、ドアの裏面と、押圧された弾性部７２０との隙間Ｂは、隙間Ａを通過後に内部へ侵入する勢いを失った雨水が自重で落下することを防止するとともに、隙間Ａを通過後も依然内部へ侵入する勢いを持つ雨水の当該勢いを更に小さくする役割を果たす。隙間Ｂから隙間Ｃを経て真下に落下する雨水（水滴）は、前述した案内樋を通じて本体及びドアの外部に排水される。このように隙間Ａ及び隙間Ｂの二重構造により、雨水が自動販売機の上方外部から本体の内部に侵入することが防止される。
【特許文献１】特願２００３−３３１３４５号公報
【発明の開示】
【発明が解決しようとする課題】
【０００６】
ところで、図９（ｂ）に例示されるように、隙間Ａを通過後も侵入する勢いを失わずに隙間Ｂに侵入する雨水には、隙間Ｃから真下へ落下するものと、隙間Ｃから本体側へ斜めに飛ぶものとがある。自動販売機の上部に降りかかる雨水の勢いが強いほど、或いは、この雨水がドアから本体に向けてより斜めに降りかかるほど、隙間Ｃから本体の内部へ斜めに飛ぶ雨水は、隙間Ｃから真下に落下する雨水よりも相対的に多く且つその勢いが強くなる上に、その飛跡がより斜めになる。よって、雨水の勢いが強かったり、斜めであったりすると、隙間Ａから内部へ侵入しようとする雨水の全てを、ドアの裏側の前述した案内樋では受けきれない場合がある。或いは、弾性部７２０がドアの裏面と本体の開口面の上縁部との間で押圧されて撓んだときの形状によっては、隙間Ａから内部へ侵入しようとする雨水の全てを、ドアの裏側の前述した案内樋では受けきれない場合がある。
【０００７】
例えば、案内樋から更に本体側に前述した電気設備が備えられている場合、この案内樋で受けきれなかった雨水は、電気設備に入ってその動作不良等を引き起こす虞がある。また、例えば、案内樋から更に本体側に前述した商品収納コラムやシュータ等が設けられている場合、この案内樋で受けきれなかった雨水は、商品収納コラムやシュータ等を濡らし、結局は商品を濡らす虞がある。特に、商品がパッケージ化された煙草の場合、商品を濡らすことはその品質の低下につながる虞がある。また、シュータの内面が濡れている場合、比較的重量の軽い煙草は、シュータの内面に張り付いて商品取出口まで円滑に搬出されず、よって販売に支障をきたす虞もある。
【０００８】
本発明はかかる課題に鑑みてなされたものであり、その目的とするところは、ドアと本体の開口の上縁との隙間における水滴が、ドアに設けられた案内樋よりも本体側に飛ぶことを防止する自動販売機及び防水ガスケットを提供することにある。
【課題を解決するための手段】
【０００９】
前記課題を解決するための発明は、商品を収容するための開口を有する本体と、前記開口を開放又は閉塞するドアと、前記開口の鉛直方向上部に設けられる上縁の長手方向に装着されることにより、前記ドアが前記開口を閉塞する場合に、前記ドア及び前記上縁の隙間を封止する防水ガスケットと、前記ドアの前記開口と対向する裏面側の鉛直方向上部に設けられ、前記防水ガスケットから落下する水滴を前記本体及び前記ドアの外部に案内するための案内樋と、を有する自動販売機において、前記防水ガスケットは、前記上縁を把持する把持部と、前記把持部から前記開口を閉塞したときの前記ドアの裏面側へ延在する、中空で且つ弾性力を有する第１ガスケット部と、前記把持部の鉛直方向下部から前記開口を閉塞したときの前記ドアの裏面側へ延在する、片形状を有する第２ガスケット部と、を前記上縁の長手方向の長さだけ一体成形してなる。
【００１０】
この自動販売機によれば、ドアが開口を閉塞すると、防水ガスケットの第１ガスケット部は、把持部とドアの裏面側との間で押圧されて弾性的に撓みながらこのドアの裏面側に当接する。一方、防水ガスケットの把持部は、本体の開口の上縁を常時把持しており、この把持部は第１ガスケット部と一体成形されている。これにより、ドアと上縁との隙間は先ず一体の第１ガスケット部及び把持部により閉塞され、次にこの第１ガスケット部及び把持部の鉛直方向下部においては、ドアと上縁との隙間は第２ガスケット部によりこのドアの裏面側に偏りつつ狭くなっている。よって、ドア又は本体の上部からドアと上縁との隙間へ侵入する水滴があったとしても、この水滴が更にその下部へ侵入することを困難にできる。また、もしこの弾性部とドアの裏面側との間を通過した水滴があれば、これをできるだけドアの裏面側から鉛直方向下部の案内樋へ落下させ、案内樋よりも本体側へ飛ぶことを防止できる。
【００１１】
また、かかる自動販売機において、前記把持部は、当該把持部の鉛直方向上部が前記ドアの鉛直方向上面より高くなるように前記上縁を把持し、前記防水ガスケットは、前記把持部の鉛直方向上部から前記開口を閉塞したときの前記ドアの表面の方向へ延在する庇部と、前記庇部から前記開口を閉塞したときの前記ドアの上面側へ延在する、片形状を有する第３ガスケット部と、を前記上縁の長手方向の長さだけ更に一体成形してなる、ことが好ましい。  
この自動販売機によれば、庇部及び第３ガスケット部により、ドアと上縁との隙間が先ず第３ガスケット部とドアの上面との隙間まで狭められるため、例えばドアの上部から降りつける雨水の水滴が下部に侵入することを困難にできる。
【００１２】
また、かかる自動販売機において、前記把持部及び前記庇部は硬質材からなり、前記第１ガスケット部、前記第２ガスケット部、及び前記第３ガスケット部は軟質材からなる、ことが好ましい。  
この自動販売機によれば、把持部は硬質材であり第１ガスケット部は軟質材であるため、ドアが開口を閉塞したときの第１ガスケット部は、把持部とドアの裏面側との間で押圧されて、ドアの裏面側により気密に当接できる。また、軟質材の第２ガスケット部は、例えばドアの裏面側に対して弾性的に撓みながら当接し得る。更に、軟質材の第３ガスケット部は、例えばドアの上面側に対して弾性的に撓みながら当接し得る。以上から、例えばドアの上部から降りつける雨水の水滴が侵入したとしてもこれが更に下部に侵入することを困難にできる上に、もし第１ガスケット部とドアの裏面側との間を通過した水滴があれば、これをできるだけドアの裏面側から鉛直方向下部の案内樋へ落下させ、案内樋よりも本体側へ飛ぶことを防止できる。
【００１３】
また、かかる自動販売機において、前記第１ガスケット部は、前記上縁の長手方向に延在することにより前記中空を複数分割する弾性壁を、更に有することが好ましい。  
この自動販売機によれば、第１ガスケット部は、その中空内に弾性壁を有する分だけ弾性力が高まり、またこの弾性を保ちつつ変形し易くなる。よって、ドアが開口を閉塞したときの第１ガスケット部は、把持部とドアの裏面側との間で押圧されて、ドアの裏面側に更に気密に当接できる。これにより、例えばドアの上部から降りつける雨水の水滴が侵入したとしてもこれが更に下部に侵入することをより困難にでき、これは、雨水の水滴が案内樋よりも本体側へ飛ぶことを防止することにもつながる。
【００１４】
また、かかる自動販売機において、前記商品は、煙草商品であることとしてもよい。  
煙草商品を販売することにより、本発明の自動販売機においてドアと本体の開口の上縁との隙間における水滴が、ドアに設けられた案内樋よりも本体側に飛ぶことを防止する効果が、より重要なものとなる。
【００１５】
また、前記課題を解決するための発明は、商品を収容するための開口を有する本体と、前記開口を開放又は閉塞するドアと、を有する自動販売機に対して、前記開口の鉛直方向上部に設けられる上縁の長手方向に装着されることにより、前記ドアが前記開口を閉塞する場合に、前記ドア及び前記上縁の隙間を封止する防水ガスケットにおいて、前記上縁を把持する把持部と、前記把持部から前記開口を閉塞したときの前記ドアの裏面側へ延在する、中空で且つ弾性力を有する第１ガスケット部と、前記把持部の鉛直方向下部から前記開口を閉塞したときの前記ドアの裏面側へ延在する、片形状を有する第２ガスケット部と、を前記上縁の長手方向の長さだけ一体成形してなる。  
この防水ガスケットを用いた自動販売機では、そのドアと本体の開口の上縁との隙間における水滴が本体側に飛ぶことが防止される。例えば、自動販売機が、前述した水滴を本体及びドアの外部に案内するための案内樋を、ドアの開口と対向する裏面側の鉛直方向上部に備えている場合には、この水滴をできるだけ案内樋へ落下させ、案内樋よりも本体側へ飛ぶことを防止できる。
【発明の効果】
【００１６】
ドアと本体の開口の上縁との隙間における水滴が、ドアに設けられた案内樋よりも本体側に飛ぶことが防止される。
【発明を実施するための最良の形態】
【００１７】
＝＝＝自動販売機の構成＝＝＝
図１を参照しつつ、本実施の形態の自動販売機１０の外観構成例について説明する。同図は、本実施の形態の自動販売機１０の外観構成例を示す斜視図である。尚、以後、後述する外扉５０に関しては、その表側（又は外側）は、図１乃至図８に例示される座標における＋Ｚ側を意味し、その裏側（又は内側）は−Ｚ側を意味するものとする。
【００１８】
本実施の形態の自動販売機１０は、主として、商品を収容する筐体（本体）２０と、この筐体２０に対してヒンジ（不図示）を介して設けられ、筐体２０の開口面（開口）を開放又は閉塞する外扉（ドア）５０と、を備えて構成されている。
【００１９】
図１に例示されるように、外扉５０には、接客面３００、釣銭返却口３１４、商品取出口３２０、及びロック機構３３０等が設けられている。ここで、接客面３００には、顧客が商品を選択するための商品選択釦（不図示）や、商品を示す写真や商品のサンプル等が設けられた商品パネル３００ａ、３００ｂ、顧客が金銭を支払うための硬貨投入口３１１及び紙幣挿入口３１２、顧客が前述した釣銭返却口３１４から金銭の返却を求めるための釣銭返却釦３１３等が設けられている。また、ロック機構３３０は、例えば特開２００４−９４８６８号公報に開示されているように、筐体２０と外扉５０との間に設けられ、筐体２０の開口面を外扉５０で閉塞した状態で施錠又は開錠する機能を有する周知の機構である。本実施の形態では、例えばルートマンがこの施錠又は開錠を手動で実施するものであり、外扉５０の表側には、手動式のロック機構３３０におけるハンドル部３３１及び鍵部３３２が設けられている。この鍵部３３２は、施錠状態にあるハンドル部３３１を固定する又は当該固定から解除する機能を有するものである。
【００２０】
尚、本実施の形態の自動販売機１０では、顧客が金銭を投入し商品選択釦を押下して商品を購入するものであるが、これに限定されるものではない。金銭の支払いは、例えばカード式であってもよい。この場合、自動販売機１０は、所定のカード読取部を接客パネルとして備える必要がある。或いは、金銭を投入したり、カードを翳したりするだけで、単一の商品が販売されるものであってもよい。この場合、自動販売機１０は、商品選択釦を必要としない。
【００２１】
図２を参照しつつ、本実施の形態の自動販売機１０の内部構成例について説明する。同図は、本実施の形態の自動販売機１０の内部構成例を示す斜視図である。
【００２２】
本実施の形態の自動販売機１０は、筐体２０の内部に商品収納コラム２１を備えている。商品が例えば箱状に包装された煙草の場合、商品収納コラム２１の上下方向（Ｙ方向）の内部には、商品種類毎に分類された複数の煙草が積層した状態で収納される。各商品収納コラム２１の下方（−Ｙ側）には、積層における最下位置の煙草を所定の動力源でもって例えばベルト式でその前方側（＋Ｚ側）に払い出す払出部（不図示）が設けられている。販売時において、払出部により商品収納コラム２１から払い出された煙草は、シュータ２３に落下し、このシュータ２３の開口部２３ａと対向する商品取出口３２０に搬出されるようになっている。図２の例示では、外扉５０は、筐体２０に対して開かれているが、販売時には閉じられており、シュータ２３の開口部２３ａと、商品取出口３２０の裏側とが相互に接続するように構成されている。
【００２３】
また、筐体２０の開口面の上縁部２０１ａ、２０２ａ（図４参照）の長手方向（Ｘ軸方向）には防水用ガスケット６００が設けられ、外扉５０の裏側におけるこの防水ガスケット６００と対向する位置には、その下部にて案内樋を構成する樋板５１０が設けられている。図２の例示では、外扉５０は、筐体２０に対して開かれているが、販売時には閉じられており、後述するように、開口面の上縁部２０１ａ、２０２ａと樋板５１０との隙間は、防水用ガスケット６００により封止されるように構成されている。
【００２４】
図２に例示されるように、本実施の形態では、外扉５０の裏側にも商品収納コラム２２が設けられている。各商品収納コラム２２の下方には、積層における最下位置の煙草を所定の動力源でもって例えばベルト式でその後方側（−Ｚ側）に払い出す払出部（不図示）が設けられている。販売時において、払出部により商品収納コラム２２から払い出された煙草がシュータ２３に落下し商品取出口３２０に導かれるようになっている。
【００２５】
前述した外扉５０の裏側と、前述した商品収納コラム２２との間には、前述した商品取出口３２０及びロック機構３３０が設けられている。また、この外扉５０の裏側と商品収納コラム２２との間には、前述した硬貨投入口３１１、紙幣挿入口３１２、及び釣銭返却口３１４に対応する、金銭処理のための所定の機構（不図示）が設けられている。この金銭処理のための所定の機構は、外扉５０の裏側に固定されている。更に、外扉５０の裏側と商品収納コラム２２との間には、前述した商品パネル３００ａ、３００ｂにおける商品選択釦（不図示）や、商品を示す写真や商品のサンプル等のための照明（不図示）等の電気設備が設けられている。
【００２６】
また、外扉５０の裏側両側部には、前述したロック機構３３０の一部である、Ｙ方向に沿って上下に摺動可能なスライダロック３３３（図８参照）と、当該外扉５０を補強するための補強金３４０（図８参照）と、が備えられている。このスライダロック３３３は、ハンドル部３３１の回動に応じて外扉５０に対して上下に摺動するようになっている。一方、筐体２０の開口面側部には、スライダロック３３３の上下の摺動に応じて、このスライダロック３３３と係合及び当該係合から開放可能なフック（不図示）が備えられている。
【００２７】
＜＜＜防水ガスケット及びその周辺構成＞＞＞
図３乃至図５を参照しつつ、本実施の形態の防水ガスケット６００及びその周辺の構成例についてより詳細に説明する。図３は、本実施の形態の防水ガスケット６００の構成例を示す斜視図であり、図４は、外扉５０開放時における上縁部２０１ａ、２０２ａのＸ軸方向（長手方向）に装着された本実施の形態の防水ガスケット６００の構成例を示す断面図であり、図５は、図４に例示された防水ガスケット６００を斜め上方から見た斜視図である。
【００２８】
図３に例示されるように、本実施の形態の防水ガスケット６００は、主として、庇部６１０と、弾性部（第１ガスケット部）６２０と、クリップ部（把持部）６４０と、フランジ部（把持部）６５０とを備えて構成されたものであり、これらは同一形状の断面を有する長尺体をなす合成樹脂材の一体成形品である。尚、図３における座標は、同図に例示される防水ガスケット６００が、筐体２０開口面の上縁部２０１ａ、２０２ａに装着された状態で適用される座標である。
【００２９】
本実施の形態のクリップ部６４０は、上縁部２０１ａ、２０２ａを挟み込むために＋Ｙ側にＵ字形状をなして開口した硬質性樹脂であり、当該Ｕ字形状の硬質性樹脂は、その開口幅が上縁部２０１ａ、２０２ａの幅（厚さ）よりも狭くなるように弾性付勢されている。また、このＵ字形状の硬質性樹脂の一端部には、上縁部２０１ａ、２０２ａへの装着時にこれに係合するための硬質性樹脂のクリップ片６４０ａが一体に設けられている。
【００３０】
本実施の形態のフランジ部６５０は、上縁部２０１ａ、２０２ａを−Ｙ側に押し付けてクリップ部６４０との間に挟み込むために、クリップ部６４０から−Ｚ側に延在する硬質性樹脂である。このフランジ部６５０は、その端部から−Ｙ側に向かって、後述する筐体２０の天井板２０１（図６）との隙間を封止するための軟質性樹脂のガスケット片６５０ａが一体に設けられている。
【００３１】
本実施の形態の庇部６１０は、フランジ部６５０よりも＋Ｙ側において、クリップ部６４０から＋Ｚ側に延在する硬質性樹脂である。この庇部６１０は、防水ガスケット６００が上縁部２０１ａ、２０２ａに装着された状態で、外扉５０の上面よりも高くなるように構成されている。また、庇部６５０は、その端部から−Ｙ側に向かって、後述する樋板５１０との隙間（図６）を封止するための軟質性樹脂のガスケット片（第３ガスケット部）６１０ａが一体に設けられている。
【００３２】
本実施の形態の弾性部６２０は、Ｙ軸方向においてフランジ部６５０とクリップ部６４０の底面との間にあって、後述する樋板５１０とクリップ部６４０との間で弾性的に撓んでその隙間（図６）を封止するために、クリップ部６４０から＋Ｚ側に延在する筒形状（中空）をなす軟質性樹脂である。尚、弾性部６２０は、Ｙ軸方向においてフランジ部６５０とクリップ部６４０の底面との間にあると限定されるものではなく、庇部６１０よりは−Ｙ側にあり、且つ、Ｙ軸方向においてクリップ部６４０及びフランジ部６５０からなる把持部と略同位置にあればよい。
【００３３】
また、図３に例示されるように、本実施の形態の防水ガスケット６００は、ガスケット片（第２ガスケット部）６３０及び分離壁（弾性壁）６２０ａを更に一体に備えている。
【００３４】
本実施の形態のガスケット片６３０は、Ｙ軸方向においてクリップ部６４０の底面近傍にあって、後述する樋板５１０との隙間（図６）を封止又は狭くするために、クリップ部６４０から＋Ｚ側に延在する軟質性樹脂である。図３に例示されるように、本実施の形態の分離壁６２０ａは、弾性部６２０の−Ｚ側におけるＹ軸方向中央より＋Ｙ側寄りの位置と、弾性部６２０の＋Ｚ側におけるＹ軸方向中央より−Ｙ側寄りの位置と、を繋ぐ曲面形状をなすものである。或いは、本実施の形態の分離壁６２０ａは、弾性部６２０の−Ｚ側におけるＹ軸方向中央より−Ｙ側寄りの位置と、弾性部６２０の＋Ｚ側におけるＹ軸方向中央より＋Ｙ側寄りの位置と、を繋ぐ曲面形状をなすものであってもよい。以上の場合、例えば前述したＹ軸方向の中央の位置どうしを繋ぐ平面形状の場合に比べて、分離壁６２０ａが弾性部６２０の中空内で占める体積がより大きくなるため、弾性部６２０はその弾性力が高まるとともに変形し易くなる。但し、分離壁６２０ａの形状は、上記に限定されるものではなく、要するに、弾性部６２０の中空内を分割してその弾性力を高めるとともに、変形し易くするものであればいかなるものであってもよい。
【００３５】
本実施の形態の分離壁６２０ａは、弾性部６２０の筒形状内部をＸ軸方向に２つに分割する軟質性樹脂である。尚、分離壁６２０ａは、弾性部６２０の筒形状内部を２つに分割すると限定されるものではなく、例えば３つ以上に分割するものであってもよい。
【００３６】
図４及び図５に例示されるように、前述した上縁部２０１ａ、２０２ａは、本実施の形態では、筐体２０の天井板２０１、２０２が開口面にて下方（−Ｙ側）にＬ字形状をもって張り出すことにより構成されている。本実施の形態の防水ガスケット６００は、クリップ部６４０及びクリップ片６４０ａをその弾性を利用して上縁部２０１ａ、２０２ａの下方から引っ掛けるとともに、フランジ部６５０及び／又はガスケット片６５０ａを天井板２０１の上面に当接させることにより、上縁部２０１ａ、２０２ａの長手方向に装着される。
【００３７】
＝＝＝防水機能＝＝＝
図６乃至図８を参照しつつ、前述した構成を有する防水ガスケット６００による自動販売機１０の防水機能について説明する。図６は、外扉５０閉塞時における本実施の形態の防水ガスケット６００の状態を示す断面図であり、図７は、図６に例示された防水ガスケット６００を斜め上方から見た斜視図であり、図８は、本実施の形態の外扉５０の裏側を斜め上方から見た斜視図である。
【００３８】
図６及び図７に例示されるように、外扉５０の外扉５０が筐体２０の開口面を閉塞すると、本実施の形態の防水ガスケット６００の弾性部６２０は、クリップ部６４０と、外扉５０の裏側に設けられた樋板５１０と、の間で押圧されて弾性的に撓みながらこの樋板５１０に当接する。また、庇部６１０は、樋板５１０と天井板２０１との隙間を、その上部から覆っている上に、この庇部６１０の端部に設けられたガスケット片６１０ａにより、樋板５１０との隙間Ａまで狭めている。一方、図６及び図７に例示されるように、本実施の形態の防水ガスケット６００のクリップ部６４０及びフランジ部６３０は、上縁部２０１ａ、２０２ａを常時把持している上に、ガスケット片６５０ａは、フランジ部６５０と天井板２０１との隙間を隙間Ｅまで狭めている。以上から、本実施の形態の防水ガスケット６００は、例えば雨が隙間Ａへ侵入することを防止し、もし隙間Ａへ侵入した場合でも、水滴が更に隙間Ｂから隙間Ｃへ侵入することを困難にできる。また、本実施の形態の防水ガスケット６００は、例えば雨が隙間Ｅへ侵入することを防止し、もし隙間Ｅへ侵入した場合でも、水滴が更に隙間Ｆへ侵入することを困難にできる。
【００３９】
本実施の形態の防水ガスケット６００（図６及び図７）は、前述した構成に加えて、分離壁６２０ａ及びガスケット片６３０を備えているために、防水ガスケット７００（図９）に比べて、前述した隙間Ｂから隙間Ｃへの水滴の侵入がより困難となる上に、もし隙間Ｂから隙間Ｃへの水滴が侵入した場合でも、この隙間Ｃからの水滴が、樋板５１０から構成される案内樋から外れて筐体２０側に飛ぶことを防止できる。つまり、弾性部６２０はその筒形状内に分離壁６２０ａを有する分だけ弾性部７２０（図９）よりも高い弾性力を保ちつつ変形し易くなっているため、分離壁６２０ａを有さない弾性部７２０の場合（図９）に比べて、隙間Ｂから隙間Ｃにかけての気密性が向上している。また、ガスケット片６３０は、隙間Ｃより下部の隙間を樋板５１０側に偏った隙間Ｄまで狭めているため、前述した隙間Ｃからの水滴が、樋板５１０から構成される案内樋から外れて筐体２０側に飛ぶことが防止され、できるだけ案内樋へ落下するようになっている。
【００４０】
尚、本実施の形態の防水ガスケット６００では、主として前述した分離壁６２０ａを有する弾性部６２０とガスケット片６３０とにより、隙間Ｂから隙間Ｃへの水滴が侵入した場合の当該隙間Ｃからの水滴が案内樋から外れて筐体２０側に飛ぶことを防止するものであるが、この分離壁６２０ａを有する弾性部６２０及びガスケット片６３０に対して更に前述した隙間Ａを形成するための構成（庇部６１０及びガスケット片６１０ａ）を組み合わせることにより、上記防止を一層効果的にできる。つまり、隙間Ａにおいて、ここから更に内部へ侵入する水滴の勢いが小さくなれば、隙間Ｃを通過後に案内樋から外れて筐体２０側に飛ぶ量は少なくなる。また、その勢いも小さくなり、その飛跡も真下に近づく。
【００４１】
図８の矢印で例示されるように、樋板５１０により構成される案内樋（図６及び図７）に落下した水滴は、Ｘ軸方向の経路Ｇを辿って外扉５０の裏側両側部に至り、一方は前述したスライダロック３３３を伝わって自動販売機１０の底部を通じて外部に排水される（経路Ｈ）。また、もう一方の水滴も前述した補強金３４０を伝わって自動販売機１０の底部を通じて外部に排水される（経路Ｉ）。また、図６に例示される隙間Ｆは、隙間Ｅから侵入した水滴を受ける機能を有する。この隙間Ｆにおける水滴も、図８に例示される経路Ｇを辿った後に、スライダロック３３３及び補強金３４０を伝わって自動販売機１０の底部を通じて外部に排水される（経路Ｈ及びＩ）。尚、前述した経路Ｈ及びＩにおいては、水滴は、スライダロック３３３及び補強金３４０の内部及び外部の何れを伝わるものであってもよい。
【００４２】
以上から、本実施の形態では、隙間Ａ及び隙間Ｅから侵入する雨水は、筐体２０の内部に飛散することなく、自動販売機１０の外部に排水されることになる。これにより、例えば、前述した外扉５０の裏側に設けられた商品収納コラム２２、シュータ２３、電気設備（不図示）等の水濡れを防止でき、よって、電気設備の動作不良や商品の水濡れ等を防止でき、商品の円滑な販売を維持できる。
【００４３】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００４４】
前述した防水ガスケット６００は、ガスケット片６３０及び分離壁６２０ａの両方を備えたものであるが、これに限定されるものではなく、ガスケット片６３０のみを備えたものであってもよい。分離壁６２０ａを有さない防水ガスケットは、その形状がより簡単なものとなるため、製造コストを下げることがきるという利点がある。
【００４５】
また、前述した実施の形態のガスケット片６３０は、図６の例示によれば、クリップ部６４０の底面近傍から＋Ｚ側に延在し樋板５１０の裏側に当接しているが、このような構成に限定されるものではない。例えば、ガスケット片６３０は、クリップ部６４０の下部から樋板５１０の裏側にかけて延在するものであればよい。これにより、ガスケット片６３０についてはその寸法の精度を要さない分、製造コストを下げることがきるという利点がある。
【００４６】
更に、前述した実施の形態の防水ガスケット６００は、庇部６１０及びガスケット片６１０ａを有するものであったが、これは必須ではない。前述した実施の形態の防水ガスケット６００は、ガスケット片６５０ａを有するものであったが、これは必須ではない。庇部６１０、ガスケット片６１０ａ、６５０ａ等を有さない防水ガスケットは、その形状がより簡単なものとなるため、製造コストを下げることがきるという利点がある。
【００４７】
更にまた、前述した実施の形態の防水ガスケット６００では、庇部６１０、クリップ部６４０、及びフランジ部６５０が硬質性樹脂であり、その他は軟質性樹脂であったが、これに限定されるものではない。例えば、防水ガスケット全体が軟質性樹脂、或いは防水ガスケット全体が硬質性樹脂であってもよい。この場合、防水ガスケットの製造工程がより簡単なものとなるため、製造コストを下げることがきるという利点がある。
【図面の簡単な説明】
【００４８】
【図１】本実施の形態の自動販売機の外観構成例を示す斜視図である。
【図２】本実施の形態の自動販売機の内部構成例を示す斜視図である。
【図３】本実施の形態の防水ガスケットの構成例を示す斜視図である。
【図４】外扉開放時における上縁部に装着された本実施の形態の防水ガスケットの構成例を示す断面図である。
【図５】図４に例示された防水ガスケットを斜め上方から見た斜視図である。
【図６】外扉閉塞時における本実施の形態の防水ガスケットの状態を示す断面図である。
【図７】図６に例示された防水ガスケットを斜め上方から見た斜視図である。
【図８】本実施の形態の外扉の裏側を斜め上方から見た斜視図である。
【図９】（ａ）は、閉じられていない開口面の上縁部の長手方向に装着された防水ガスケットの構成例を示す当該長手方向と直交する方向の断面図であり、（ｂ）は、閉じられた開口面の上縁部とドアとの間における防水ガスケットの状態を示す長手方向と直交する方向の断面図である。
【符号の説明】
【００４９】
１０    自動販売機                  ２０    筐体
２１、２２  商品収納コラム          ２３    シュータ
２３ａ  開口部                      ５０    外扉
２０１、２０２  天井板              ２０１ａ、２０２ａ  上縁部
３００  接客面                      ３００ａ、３００ｂ  商品パネル
３１１  硬貨投入口                  ３１２  紙幣挿入口
３１３  釣銭返却釦                  ３１４  釣銭返却口
３２０  商品取出口                  ３３０  ロック機構
３３３  スライダロック              ３４０  補強金
５１０  樋板                        ６００  防水ガスケット
６１０  庇部                        ６１０ａ、６３０、６５０ａ  ガスケット片
６２０  弾性部                      ６２０ａ  分離壁
６４０  クリップ部                  ６４０ａ  クリップ片
６５０  フランジ部
【図１】
2006293525.tif 000003
【図２】
2006293525.tif 000004
【図３】
2006293525.tif 000005
【図４】
2006293525.tif 000006
【図５】
2006293525.tif 000007
【図６】
2006293525.tif 000008
【図７】
2006293525.tif 000009
【図８】
2006293525.tif 000010
【図９】
2006293525.tif 000011